(57)【要約】      （修正有）【課題】電子部品供給装置の頭出し動作を行ったとき等の作業者のピッチ送りの作業を軽減することができ、また、部品取出しミスを回避して吸着率を維持する。【解決手段】ポケット認識が実行されＣＰＵは認識結果の判定を行う。この認識結果の判定において、ポケットの位置と吸着位置との距離（ずれ）が、判定距離以上であり、ピッチ送りの修復条件を満たしているときには、ＣＰＵは吸着対象部品供給ユニットに最小ピッチ送りの信号を出力し、部品供給ユニットは最小ピッチでテープを送り、自動的にピッチ送りの修復を行う。【選択図】図４
2011155051.tif 000002
【特許請求の範囲】
【請求項１】
送り出し方向に間隔を存して並んで形成されたそれぞれの収納部に電子部品を収納したテープを設定ピッチで送り、電子部品を部品取出位置に送る電子部品供給装置を着脱自在に備え、取り付けられた前記電子部品供給装置のテープから電子部品を取出して移動しプリント基板上に装着する装着ヘッドを備えた電子部品装着装置において、前記部品取出位置の前記収納部を撮像するカメラと、前記電子部品供給装置を取り付けたとき、前記カメラが撮像した画像に基づいて前記収納部の位置を認識し、認識された前記収納部の位置が予め設定されている位置からずれていると判定された場合に、前記設定ピッチより小さい前記電子部品供給装置のピッチでテープ送りさせる制御装置とを備えたことを特徴とする電子部品装着装置。
【請求項２】
送り出し方向に間隔を存して並んで形成されたそれぞれの収納部に電子部品を収納したテープを間欠的に送り電子部品を部品取出位置に送る電子部品供給装置を着脱自在に備え、取り付けられた前記電子部品供給装置のテープから電子部品を取出して移動しプリント基板上に装着する装着ヘッドを備えた電子部品装着装置において、前記部品取出位置の前記収納部を撮像するカメラと、前記電子部品供給装置を取り付けたとき、前記カメラが撮像した画像に基づいて前記収納部の位置を認識し、認識された前記収納部の位置が予め設定されている位置からずれていると判定された場合に、前記設定ピッチより小さい前記電子部品供給装置のピッチでテープ送りさせ、認識された前記収納部の位置が予め設定されている位置からずれていないと判定された場合に、テープ送り動作を停止させる制御装置とを備えたことを特徴とする電子部品装着装置。
【請求項３】
送り出し方向に間隔を存して並んで形成されたそれぞれの収納部に電子部品を収納したテープを間欠的に送り電子部品を部品取出位置に送る電子部品供給装置を着脱自在に備え、取り付けられた前記電子部品供給装置のテープから電子部品を取出して移動しプリント基板上に装着する装着ヘッドを備えた電子部品装着装置において、前記部品取出位置の前記収納部を撮像するカメラと、前記電子部品供給装置を取り付けたとき、前記カメラが撮像した画像に基づいて前記収納部の位置を認識し、認識された前記収納部の位置が予め設定されている位置からずれていると判定された場合に、前記設定ピッチより小さい前記電子部品供給装置のピッチでテープ送りさせ、認識された前記収納部の位置が予め設定されている位置からずれていないと判定された場合に、前記装着ヘッドによる部品取り出し動作を開始させる制御装置とを備えたことを特徴とする電子部品装着装置。
【請求項４】
送り出し方向に間隔を存して並んで形成されたそれぞれの収納部に電子部品を収納したテープを設定ピッチで送り、電子部品を部品取出位置に送る電子部品供給装置を着脱自在に備え、取り付けられた前記電子部品供給装置のテープから電子部品を取出部材により取出して移動しプリント基板上に装着する装着ヘッドを備えた電子部品装着装置において、前記取出部材により取り出された前記電子部品を撮像するカメラと、前記カメラが撮像した画像に基づいて取出部材に対する前記電子部品の位置を認識し、認識された前記電子部品の位置の予め設定されている位置からのずれ量が所定のずれ量より大きいと判定された場合に、前記設定ピッチより小さい前記電子部品供給装置のピッチでテープ送りさせる制御装置とを備えたことを特徴とする電子部品装着装置。
【請求項５】
送り出し方向に間隔を存して並んで形成されたそれぞれの収納部に電子部品を収納したテープを設定ピッチで送りし、電子部品を部品取出位置に送る電子部品供給装置を着脱自在に備え、取り付けられた前記電子部品供給装置のテープから電子部品を取出部材により取出して移動しプリント基板上に装着する装着ヘッドを備えた電子部品装着装置において、前記取出部材により取り出された前記電子部品を撮像するカメラと、前記カメラが撮像した画像に基づいて取出部材に対する前記電子部品の位置を認識し、認識された前記電子部品の位置の予め設定されている位置からのずれ量が所定のずれ量より大きいと判定された場合に、前記設定ピッチより小さい前記電子部品供給装置の最小ピッチでテープ送りさせるとともに、前記テープを設定ピッチで送り、前記カメラが撮像した画像に基づいて取出部材に対する前記電子部品の位置を認識し、認識された前記電子部品の位置の予め設定されている位置からのずれ量が所定のずれ量より大きいと判定された場合に、電子部品装着装置の電子部品装着運転を停止させる制御装置とを備えたことを特徴とする電子部品装着装置。
【請求項６】
前記設定ピッチより小さい前記電子部品供給装置のピッチは、前記設定ピッチを整数で除したピッチであることを特徴とする請求項１、２、３、４または５に記載の電子部品装着装置。
【請求項７】
前記設定ピッチより小さい前記電子部品供給装置のピッチは、前記電子部品供給装置によりピッチ送り可能な最小のピッチであることを特徴とする請求項１、２、３、４、または５に記載の電子部品装着装置。
【請求項８】
前記制御装置により電子部品装着運転が停止したときに、異常停止した旨を表示する表示装置を備えたことを特徴とする請求項５に記載の電子部品装着装置。
【請求項９】
前記設定ピッチより小さい前記電子部品供給装置のピッチは、スプロケットの隣り合う歯の間隔を整数で割ったピッチもしくは整数倍のピッチであることを特徴とする請求項１、２、３、４、５または６に記載の電子部品装着装置。
【発明の詳細な説明】
【技術分野】
【０００１】
本発明は、電子部品を部品供給装置より取出し、位置決めされたプリント基板上に装着する電子部品装着装置に関する。
【背景技術】
【０００２】
この種の電子部品装着装置は、例えば、特許文献１などに開示されている。一般に、電子部品を供給するテープには、送り出し方向に間隔を存して並んで形成されたそれぞれの収納部に電子部品を収納している。そして、テープが巻かれた新しいリールの最初の部分には電子部品が収納されていない。このため、部品供給が終わったリールを電子部品供給装置から取り外し、新しいリールのテープをセットした電子部品供給装置を電子部品装着装置に取り付けた後、或いは、新しいリールのテープをセットした電子部品供給装置を搭載したカートを電子部品装着装置に接続した後、テープからの電子部品の取り出しを開始するときに、取り出し異常が発生しないように、予め、作業者が電子部品供給装置に設けられているテープ送り動作ボタンを操作し、テープをそのテープの部品収納部の間隔である１ピッチずつ送ったり、又は、特許文献１に記載されているように、例えば、自動的にテープを１ピッチずつ送り、電子部品の頭出し動作を行っていた。
【先行技術文献】
【特許文献】
【０００３】
【特許文献１】特開２００７−１２８８８号公報
【発明の概要】
【発明が解決しようとする課題】
【０００４】
しかし、上述したように、作業者が電子部品供給装置に設けられているテープ送りボタンを操作し、電子部品供給装置を動作させ、テープを１ピッチずつ送ったとき、又は、特許文献１に記載されているように、自動的にテープを１ピッチずつ送り、電子部品の頭出し動作を行ったときの何れのときにも、例えば新しいテープの送りピッチ（例えば４ｍｍ）が取り替えられる前のテープの送りピッチ（例えば２ｍｍ）より大きい場合等には、送られて停止した新しいテープの部品収納部（以下、ポケットという。）の位置が基準の位置、即ち、電子部品の取出位置からずれる虞があった。そして、ずれていないか、作業者が目視で確認したり、カメラに撮像されたポケットをモニタに表示して確認する必要があり、作業が煩雑であった。また、ずれていた場合には、テープ送りボタンを操作してずれを補正することはできるが、作業は煩雑であり、特に微小部品については、目視が困難であり、電子部品の頭出し動作は難しかった。
【０００５】
そして、頭出し動作の確認を行なわず、ポケットがずれていた場合には、ポケットから電子部品を例えば吸着して取出すとき、吸着ミスが発生する虞があり、吸着ミスの発生により電子部品の吸着率が低下するという問題も発生する。
【０００６】
そこで、本発明は、電子部品供給装置の頭出し動作を行ったとき等の作業者の作業を軽減すること、また、部品取出しミスを回避して吸着率を維持することを目的とする。
【課題を解決するための手段】
【０００７】
このため第１の発明は、送り出し方向に間隔を存して並んで形成されたそれぞれの収納部に電子部品を収納したテープを設定ピッチで送り、電子部品を部品取出位置に送る電子部品供給装置を着脱自在に備え、取り付けられた前記電子部品供給装置のテープから電子部品を取出して移動しプリント基板上に装着する装着ヘッドを備えた電子部品装着装置において、前記部品取出位置の前記収納部を撮像するカメラと、前記電子部品供給装置を取り付けたとき、前記カメラが撮像した画像に基づいて前記収納部の位置を認識し、認識された前記収納部の位置が予め設定されている位置からずれていると判定された場合に、前記設定ピッチより小さい前記電子部品供給装置のピッチでテープ送りさせる制御装置とを備えたことを特徴とする。
【０００８】
第２の発明は、送り出し方向に間隔を存して並んで形成されたそれぞれの収納部に電子部品を収納したテープを間欠的に送り電子部品を部品取出位置に送る電子部品供給装置を着脱自在に備え、取り付けられた前記電子部品供給装置のテープから電子部品を取出して移動しプリント基板上に装着する装着ヘッドを備えた電子部品装着装置において、前記部品取出位置の前記収納部を撮像するカメラと、前記電子部品供給装置を取り付けたとき、前記カメラが撮像した画像に基づいて前記収納部の位置を認識し、認識された前記収納部の位置が予め設定されている位置からずれていると判定された場合に、前記設定ピッチより小さい前記電子部品供給装置のピッチでテープ送りさせ、認識された前記収納部の位置が予め設定されている位置からずれていないと判定された場合に、テープ送り動作を停止させる制御装置とを備えたことを特徴とする。
【０００９】
第３の発明は、送り出し方向に間隔を存して並んで形成されたそれぞれの収納部に電子部品を収納したテープを間欠的に送り電子部品を部品取出位置に送る電子部品供給装置を着脱自在に備え、取り付けられた前記電子部品供給装置のテープから電子部品を取出して移動しプリント基板上に装着する装着ヘッドを備えた電子部品装着装置において、前記部品取出位置の前記収納部を撮像するカメラと、前記電子部品供給装置を取り付けたとき、前記カメラが撮像した画像に基づいて前記収納部の位置を認識し、認識された前記収納部の位置が予め設定されている位置からずれていると判定された場合に、前記設定ピッチより小さい前記電子部品供給装置のピッチでテープ送りさせ、認識された前記収納部の位置が予め設定されている位置からずれていないと判定された場合に、前記装着ヘッドによる部品取り出し動作を開始させる制御装置とを備えたことを特徴とする。
【００１０】
第４の発明は、送り出し方向に間隔を存して並んで形成されたそれぞれの収納部に電子部品を収納したテープを設定ピッチで送り、電子部品を部品取出位置に送る電子部品供給装置を着脱自在に備え、取り付けられた前記電子部品供給装置のテープから電子部品を取出部材により取出して移動しプリント基板上に装着する装着ヘッドを備えた電子部品装着装置において、前記取出部材により取り出された前記電子部品を撮像するカメラと、前記カメラが撮像した画像に基づいて取出部材に対する前記電子部品の位置を認識し、認識された前記電子部品の位置の予め設定されている位置からのずれ量が所定のずれ量より大きいと判定された場合に、前記設定ピッチより小さい前記電子部品供給装置のピッチでテープ送りさせる制御装置とを備えたことを特徴とする。
【００１１】
第５の発明は、送り出し方向に間隔を存して並んで形成されたそれぞれの収納部に電子部品を収納したテープを設定ピッチで送りし、電子部品を部品取出位置に送る電子部品供給装置を着脱自在に備え、取り付けられた前記電子部品供給装置のテープから電子部品を取出部材により取出して移動しプリント基板上に装着する装着ヘッドを備えた電子部品装着装置において、前記取出部材により取り出された前記電子部品を撮像するカメラと、前記カメラが撮像した画像に基づいて取出部材に対する前記電子部品の位置を認識し、認識された前記電子部品の位置の予め設定されている位置からのずれ量が所定のずれ量より大きいと判定された場合に、前記設定ピッチより小さい前記電子部品供給装置の最小ピッチでテープ送りさせるとともに、前記テープを設定ピッチで送り、前記カメラが撮像した画像に基づいて取出部材に対する前記電子部品の位置を認識し、認識された前記電子部品の位置の予め設定されている位置からのずれ量が所定のずれ量より大きいと判定された場合に、電子部品装着装置の電子部品装着運転を停止させる制御装置とを備えたことを特徴とする。
【００１２】
第６の発明は、請求項１、２、３、４または５に記載の電子部品装着装置において、前記設定ピッチより小さい前記電子部品供給装置のピッチは、前記設定ピッチを整数で除したピッチであることを特徴とする。
【００１３】
第７の発明は、請求項１、２、３、４、または５に記載の電子部品装着装置において、前記設定ピッチより小さい前記電子部品供給装置のピッチは、前記電子部品供給装置によりピッチ送り可能な最小のピッチであることを特徴とする。
【００１４】
第８の発明は、請求項１、２、３、４、５または６に記載の電子部品装着装置において、前記制御装置により電子部品装着運転が停止したときに、異常停止した旨を表示する表示装置を備えたことを特徴とする。
【００１５】
第９の発明は、前記設定ピッチより小さい前記電子部品供給装置のピッチは、スプロケットの隣り合う歯の間隔を整数で割ったピッチもしくは整数倍のピッチであることを特徴とする。
【発明の効果】
【００１６】
本発明によれば、電子部品供給装置の頭出し動作を行ったとき等の作業者のピッチ送りの作業を軽減することができ、また、部品取出しミスを回避して吸着率を維持する。
【図面の簡単な説明】
【００１７】
【図１】実施の形態の電子部品装着装置の概略平面図である。
【図２】制御ブロック図である。
【図３】モニタの正面図である。
【図４】ポケット認識が可能な電子部品に対してのピッチ送り修正の制御を示すフローチャートである。
【図５】ピッチ送り修正前及び修正後の吸着位置付近のテープの説明図である。
【図６】撮像された部品取出口、テープ、ポケット及び電子部品４８の画像の図である。
【図７】ポケット認識が不可能な部品に対してのピッチ送り修正の制御を示すフローチャートの説明図である。
【発明を実施するための形態】
【００１８】
以下図１乃至図３に基づいて、プリント基板上に電子部品を装着する電子部品装着装置について、第１の実施の形態を説明する。電子部品装着装置１には、プリント基板ＰをＸ方行に搬送する搬送装置２と、この搬送装置２の一方の側、即ち奥側（設置した装置では後側であり、図１においては上）に設けられ電子部品を供給する例えば複数の部品供給ユニット１３を着脱自在に並べたカートなどの部品供給装置５と、搬送装置２の他方の側、即ち手前側（設置した装置では前側であり、図１においては下）に設けられ電子部品を供給する例えば複数の部品供給ユニット１３を着脱自在に並べたカートなどの部品供給装置３と、駆動源により一方向に移動可能な一対のビーム７、８と、それぞれ吸着ノズルを備えて前記各ビーム７、８に沿った方向に各駆動源により移動可能な装着ヘッド１０、１１とが設けられている。
【００１９】
部品供給装置３は電子部品装着装置１の本体に対して着脱自在であり、複数の部品供給ユニット１３を搭載した部品供給装置３を電子部品装着装置１の本体に接続したときには、部品供給ユニット１３に設けられた図示しないテープ送り駆動装置（モータ）及び制御装置が部品供給装置３を介して電子部品装着装置本体の電源及びＣＰＵ１６に接続される。
【００２０】
前記搬送装置２は電子部品装着装置１の中間部に配設され、上流側装置からプリント基板Ｐを受け継ぐ基板供給部と、前記各装着ヘッド１０、１１の各吸着ノズル１０１、１１１に吸着保持された電子部品を装着するために基板供給部から供給されたプリント基板Ｐを位置決め固定する位置決め部と、この位置決め部で電子部品が装着されたプリント基板Ｐを受け継いで下流側装置に搬送する排出部とから構成される。
【００２１】
また、前記部品供給装置３、５はフィーダベース１２を備え、それぞれのフィーダベース１２の各レーンには複数の部品供給ユニット１３が着脱自在に並べられており、種々の電子部品を夫々その部品取出し部（部品吸着位置）に１個ずつ供給する。
【００２２】
Ｘ方向に長い前後一対の一方の側（部品供給装置５側）のビーム７と、他方の側（部品供給装置３側）のビーム８は、Ｙ方向駆動モータである各Ｙ方向リニアモータ９、９９の駆動により左右一対の前後に延びたガイドに沿って前記各ビームに固定されたスライダが摺動して個別にＹ方向に移動する。前記Ｙ方向リニアモータ９、９９は、左右一対の基体１Ａ、１Ｂに沿って固定された一対の固定子と、前記ビーム７、８の両端部に設けられた取付板の下部に固定された可動子９ａ、９９ａとから構成される。
【００２３】
また、前記ビーム７、８にはその長手方向（Ｘ方向）にＸ方向駆動モータであるＸ方向リニアモータ２３、２２３（図２参照）によりガイドに沿って移動する装着ヘッド１０、１１が夫々内側に設けられており、前記Ｘ方向リニアモータは各ビーム７、８に固定された前後一対の固定子と、各固定子の間に位置して前記装着ヘッド１０、１１に設けられた可動子とから構成される。
【００２４】
従って、各装着ヘッド１０、１１は向き合うように各ビーム７、８の内側に設けられ、前記搬送装置２の位置決め部上のプリント基板Ｐや部品供給装置３、５の部品供給ユニット（電子部品供給装置）１３の部品取出し位置上方を移動する。
【００２５】
そして、各装着ヘッド１０、１１には例えば４本の各バネにより下方へ付勢されている吸着ノズル１０１、１１１が円周上に所定間隔を存して配設されており、各装着ヘッド１０、１１の３時と９時の位置に位置する吸着ノズルにより並設された複数の部品供給ユニット１３から電子部品を同時に取出しすることも可能である。この吸着ノズルは上下軸モータ２５、２２５（図２参照）により昇降可能であり、またθ軸モータ２６、２２６（図２参照）により装着ヘッド１０、１１を鉛直軸周りに回転させることにより、結果として各装着ヘッド１０、１１の各吸着ノズル５はＸ方向及びＹ方向に移動可能であり、垂直線回りに回転可能で、且つ上下動可能となっている。
【００２６】
また、各装着ヘッド１０、１１には基板認識カメラ１４、１４が設けられ、位置決めされているプリント基板Ｐに付された位置決めマークを撮像する。また、部品認識カメラ１５で、各吸着ノズルに吸着保持された電子部品を一括して撮像する。
【００２７】
更に、電子部品装着装置１の前後には、操作画面等を表示するモニタ２０、２０１が設けられている。これらのモニタ２０、２０１には、入力手段としてのタッチパネルスイッチ２１、２１１（図２参照）及び操作パネル３１、３２が設けられている。
【００２８】
操作パネル３１、３２は同様に構成され、図３に示したようにモニタ２０の下部に設けられ、操作パネル３１には、左側から右側に間隔を存して部品供給ユニット準備（ＦＥＥＤＥＲ  ＲＥＡＤＹ）ボタン５１、電源（ＰＯＷＥＲ）ボタン５２、スタート（ＳＴＡＲＴ）ボタン５３、停止（ＳＴＯＰ）ボタン５４及び操作パネル指定（ＰＡＮＥＬ）ボタン５５が配置されている。
【００２９】
各ボタン５１乃至５５はそれぞれ着色されたカバー６１乃至６５と各カバーの内側に設けられた例えば発光素子（ＬＥＤ）等の発光体７１乃至７５等から構成されている。
【００３０】
部品供給ユニット準備ボタン５１は部品供給ユニット１３を交換するときに作業者によって押され、押すことによって部品供給ユニット３のロック状態が解除され、交換が可能になる。また、電源ボタン５２は電源を投入する或いは遮断するときに押され、スタートスイッチ５３は電源投入後、装置の運転をスタートするときに押される。また、停止スイッチ５４は運転している装置を停止するときに押される。更に、操作パネル指定ボタン５５は作業者によって操作されるタッチパネルスイッチ２１、２１１を指定するときに押され、タッチパネルスイッチ２１、２１１のうち、操作パネル指定ボタン５５が押された一方のタッチパネルスイッチのスイッチのみが作業者の操作を受け付け、他方のモニタのタッチパネルスイッチのスイッチの操作は受け付けない。
【００３１】
図２は電子部品装着装置１の電子部品装着に係る制御のための制御ブロックであり、以下説明する。電子部品装着装置１の各要素は制御装置であるＣＰＵ（セントラル・プロセッシング・ユニット）１６が統括制御しており、この制御に係るプログラムを格納するＲＯＭ（リ−ド・オンリー・メモリ）３６及び各種データを格納するＲＡＭ（ランダム・アクセス・メモリ）１７がバスライン１８を介して接続されている。また、ＣＰＵ１６にはモニタ２０、２０１及びタッチパネルスイッチ２１、２１１がインターフェース２２を介して接続されている。また、前記Ｙ方向リニアモータ９等が駆動回路２４、インターフェース２２を介して前記ＣＰＵ１６に接続されている。
【００３２】
前記ＲＡＭ１７には、生産するプリント基板Ｐの種類（基板種）毎にＮＣデータが格納されているが、このＮＣデータはオペレーションデータ、段取りデータ、装着データ等から構成される。前記オペーレーションデータはＮＣデータ名であるコメント、プリント基板のＸ方向及びＹ方向のサイズ、プリント基板の厚み、先付部品の有無、先付部品の高さ、基板仕上げモードから構成される。また、ＲＡＭ１７には、生産する異なる複数の基板種のプリント基板に電子部品を供給する部品供給ユニット１３を極力載置し、生産する基板種が変った場合でも、部品供給装置３、５の部品供給ユニット１３の交換作業を極力回避するように予め設定した部品配置データが格納されている。
【００３３】
また、前記ＲＡＭ１７には、形状データ・認識データ・制御データ・部品供給データから構成して各電子部品の特徴を表す部品ライブラリデータ等も格納されている。
【００３４】
また、ＣＰＵ１６にはスタートボタン５３が押されてからの時間をカウントするタイマ３３が接続されている。
【００３５】
２７はインターフェース２２を介して前記ＣＰＵ１６に接続される認識処理装置で、前記基板認識カメラ１４や部品認識カメラ１５により撮像して取込まれた画像の認識処理が認識処理装置２７にて行われ、ＣＰＵ１６に処理結果が送られる。即ち、ＣＰＵ１６は基板認識カメラ１４や部品認識カメラ１５により撮像された画像を認識処理（位置ずれ量の算出など）するように指示を認識処理装置２７に出力すると共に、認識処理結果を認識処理装置２７から受取るものである。
【００３６】
以上の構成により、以下、電子部品装着装置の動作について説明する。
プリント基板Ｐが上流側装置（図示せず）より受継がれて搬送装置２の供給部上に存在すると、供給部上のプリント基板Ｐを位置決め部へ移動させ、このプリント基板Ｐの平面方向及び上下方向における位置決めがなされて固定する。
【００３７】
そして、プリント基板Ｐの位置決めがされると、奥側のビーム７がＹ方向リニアモータ９の駆動により前後に延びたガイドに沿ってスライダが摺動してＹ方向に移動すると共にＸ方向リニアモータ２３により装着ヘッド１０がＸ方向に移動し、部品供給ユニット１３の部品取出し位置上方まで移動して上下軸モータの駆動により吸着ノズル１０１を下降させて部品供給ユニット１３から電子部品を取り出す。この場合、装着ヘッド１０をＸ方向に移動させると共に回転させ、更に吸着ノズル１０１を昇降させることにより、複数の吸着ノズル１０１がトレイ４から電子部品を取り出すことができる。また、奥側のビーム７と同様に、手前側のビーム８がＹ方向リニアモータの駆動により前後に延びたガイドに沿ってＹ方向に移動すると共にＸ方向リニアモータにより装着ヘッド１１がＸ方向に移動し、部品供給ユニット１３の部品取出し位置上方まで移動して上下軸モータの駆動により吸着ノズル１１１を下降させて部品供給ユニット１３から電子部品を取り出す。この場合、装着ヘッド１１をＸ方向に移動させると共に回転させ、更に吸着ノズル１１１を昇降させることにより、複数の吸着ノズル１１１が部品供給ユニット１３から電子部品を取り出すことができる。
【００３８】
即ち、初めに、装着データの例えばステップに従って、部品供給装置５の部品供給ユニット１３から奥側のビーム７に設けられた装着ヘッド１０により４個の電子部品が順に取出されると同時に、部品供給装置３の部品供給ユニット１３から手前側のビーム８に設けられた装着ヘッド１１により４個の電子部品が順に取出される。即ち、奥側のビーム７に設けられた装着ヘッド１０の４本の吸着ノズル１０１が部品供給ユニット１３から電子部品を順番に取り出すと同時に、手前側のビーム８に設けられた装着ヘッド１１の４本の吸着ノズル１１１が部品供給ユニット１３から電子部品を取り出すというように、それぞれの装着ヘッド１０、１１が対応するステップに従って４個の電子部品を吸着して取り出す。このとき、手前側の装着ヘッド１１による部品吸着の開始と奥側の装着ヘッド１０による部品吸着の開始とが、また手前側の装着ヘッド１１による全ての部品の吸着の終了と奥側の装着ヘッド１０による全ての部品の吸着の終了とがずれるときもある。
【００３９】
また、この取出した後は、両装着ヘッド１０、１１の吸着ノズル１０１、１１１を上昇させて、装着ヘッド１０、１１を部品認識カメラ１５上方を通過させ、この移動中に両装着ヘッド１０、１１の４本の吸着ノズル１０１、１１１に吸着保持されたそれぞれ４個の電子部品を一括して撮像して、この撮像された画像を認識処理装置２７が認識処理して各吸着ノズル１０１、１１１に対する電子部品の位置ずれを把握する。
【００４０】
その後、両ビーム７、８の装着ヘッド１０、１１に設けられた基板認識カメラ８を各プリント基板Ｐ上方へ移動させて、搬送装置２上で位置決めされているプリント基板Ｐに付された位置決めマークを撮像し、この撮像された画像を認識処理装置２７が認識処理して各プリント基板Ｐの位置を把握する。そして、装着データの装着座標にそれぞれのプリント基板Ｐの位置認識結果及び各部品認識処理結果を加味して、各吸着ノズル１０１、１１１が位置ずれを補正しつつ、それぞれ電子部品を各プリント基板Ｐ上に装着する。
【００４１】
上述したように、電子部品をプリント基板Ｐ上に装着しているとき、部品供給装置３の部品供給ユニット１３に部品切れが発生したときには、ＣＰＵ１６が動作して部品切れが発生したことがモニタ２０、２０１に表示され、また、電子部品装着装置１に設けられた図示しない表示灯などの表示装置が点滅し、作業者に報知する。また、ＣＰＵ１６が動作し、Ｙ方向リニアモータ９、９９、Ｘ方向リニアモータ２３、２２３等のモータが停止し、電子部品の装着運転が停止する。そして、作業者がモニタ２０或いはモニタ２０１のフィーダ準備ボタン５１を押すと、点灯していた発光体７１が消灯し、フィーダ準備ボタン５１は消灯する。また、部品供給ユニット１３が交換可能になり、作業者は、部品切れが発生した部品供給ユニット１３を交換する。
【００４２】
交換作業の終了後、まず、作業者がフィーダ準備ボタン５１を押すと、発光体７１が点灯し、フィーダ準備ボタン５１は点灯する。次に、作業者がスタートボタン５３を押すと、電子部品の装着運転が開始する。
【００４３】
以下、部品供給ユニット１３が交換された後であり、部品供給ユニット１３からの電子部品の取出し動作が開始される前に行われる電子部品の自動頭出動作について、図４のフローチャートに基づいて説明する。
【００４４】
ＣＰＵ１６では、部品供給ユニット１３からの電子部品の吸着取り出し動作を行う前に、吸着対象の部品供給ユニット（以下、吸着対象部品供給ユニットという）１３について、ポケット認識が可能か否かを例えばRAM１７に格納されているライブラリデータに記載されているテープの種類に応じた認識可能か否かのデータにより判定する。そして、上述したように吸着対象部品供給ユニット１３が、それまでセットされていなく、交換された新たに取り付けられた部品供給ユニット１３であり、図５の（ａ）に示したように、この部品供給ユニット１３が供給する部品を収納したテープ４６の幅が８ｍｍであり、部品の収納部であるそれぞれのポケット４７のピッチが４ｍｍ（すべての隣り合うポケット間の間隔即ちピッチが４ｍｍである。）のときには、例えば、ＣＰＵ１６は吸着対象部品供給ユニット１３に設けられた制御装置１３Ｓから送られたフィーダ番号（シリアル番号）に基づいて、ポケット認識が可能であると判断する。また、図６のテープ４６にはテープの送りモータ１３Ｍにより駆動されて回転し、テープ送りを駆動するスプロケットの周縁に配設された歯が嵌合する送り穴４９が設けられており、すべての隣り合う送り穴４９の間隔はスプロケットの隣り合う歯の間隔と同じ間隔（図６の場合４ｍｍ）で配設されている。
【００４５】
この結果、ＣＰＵ１６は対象の吸着対象部品供給ユニット３にピッチ送りの信号を出力し、吸着対象部品供給ユニット１３は予め設定されている指定ピッチである１ピッチ（例えば４ｍｍ）、即ち、電子部品を収納するポケットの間隔分の距離だけテープを送る（ステップＳ１）。このテープ送りの動作が終了すると、ＣＰＵ１６は吸着対象部品供給ユニット１３と装着ヘッド１０、１１の位置とに基づいて装着ヘッド１０又は１１に設けられた基板認識カメラ１４、１４のうち吸着対象部品供給ユニット１３に近い基板認識カメラ１４を選択する。そして、装着ヘッド１０又は１１の移動に伴い選択された基板認識カメラ１４が吸着対象部品供給ユニット１３に設けられたテープ押さえであるサプレッサに形成された部品取出口の上方へ移動する（ステップＳ２）。
【００４６】
そして、ポケット認識が実行される（ステップＳ３）。即ち、部品取出口の上方に到達した基板認識カメラ１４は部品取出口４５を介して部品吸着位置付近のテープ４６のポケット４７を撮像する。そして、図５に示したような部品取出口４５、テープ４６及びポケット４７の画像が認識処理装置２７に取り込まれ、画像処理される。画像処理結果はＣＰＵ１６に送られ、ＣＰＵ１６は認識結果の判定を行う（ステップＳ４）。この認識結果の判定において、ポケット４７の位置と吸着位置との距離（ずれ）が、予め設定されＲＡＭに格納されている判定距離であり例えば最小ピッチより小さい値（最小ピッチ以上に設定するとピッチずれしている可能性が高いにもかかわらず、後述するピッチずれ補正が行われなくなってしまうため、最小ピッチよりは小さな値が好ましい。）である１．５ｍｍ以上である否か、即ち、ピッチ送りの修復条件を満たしているか否かをＣＰＵ１６は判断する（ステップＳ５）。
【００４７】
そして、ポケット４７の位置と吸着位置との距離が判定距離以上であり、修復条件を満たしているときには、ＣＰＵ１６は吸着対象部品供給ユニット３に最小ピッチ送りの信号を出力し、吸着対象部品供給ユニット１３は予め設定されＲＡＭに格納されている最小ピッチである例えば２ｍｍ（図５参照）、即ち、電子部品を収納するポケットの間隔（後述するスプロケットの隣り合う歯の間隔と等しい）が４ｍｍのときは、そのピッチより小さいピッチであり、ポケットのピッチを整数で割った値（この場合は１／２のピッチの２ｍｍ）でテープを送る（ステップＳ６）。
【００４８】
ここで、最小ピッチは、部品供給ユニット１３の機種（フィーダ番号）毎に設定され、その部品供給ユニットが供給する電子部品が収納されているテープのポケットのピッチ、即ち、通常のテープ送りピッチを上述したように整数（上述した２に限定されるものではなく、２以外の、例えば４或いは６等の整数でもよく、設定ピッチより小さければよい。）で割った値、あるいは部品供給ユニットがテープを間欠送りすることが可能な最小のピッチである。または、この整数で割ったピッチは必ずしも最小のピッチでなくてもよい。または、設定ピッチを整数で割ったピッチでなくとも、設定ピッチより小さく、設定ピッチを整数で割ったこのフィーダにおける最小ピッチの整数倍であるピッチで送ってもよい。部品供給ユニット１３は、最小ピッチあるいはその整数倍のピッチで送るべき複数種類のテープ（そのピッチで部品を収納するポケットが配置されている）を送ることができる。そのため、最小のピッチのテープを使用した後にそれより大きなピッチのテープを装填して使用すると、部品供給ユニット１３に設けられ最小ピッチのテープを最後に送ったスプロケットの位置によっては吸着位置とポケットの位置が合わず、その後その所定のピッチで送り続けてもズレたままでいることになる。このとき少なくとも最小ピッチで何回かテープを送れば収納ポケットを吸着位置に合わせることができる。最小ピッチの２倍のテープを使用するときには、ズレがあるときは、１回送れば正常の位置にすることができる。
【００４９】
さらには、通常のテープの送りピッチはスプロケットの隣り合う歯の間隔（即ち、例えば図５（ａ）、（ｂ）に示すテープ４６の送り穴４９の間隔）またはその整数で割った距離（１／２または１／４等）、あるいはその整数倍の距離に設定されており、当該部品供給ユニット１３で送り得るピッチが複数ある場合（送ることができる複数種類テープの送りピッチが異なる場合）、最小ピッチをこれら複数のピッチのうち最小のものとすることができる。さらにまた、これらのスプロケットの隣り合う歯の間隔の整数分の１または整数倍のピッチであって、送ろうとするテープの通常の送りピッチの整数分の１であれば、必ずしも当該部品供給ユニット１３の送りうる最小のピッチでないピッチをも修復のための送りピッチとしてもよい。
【００５０】
なお、ＣＰＵ１６が認識結果の判定を行ったとき、ポケット４７の位置と吸着位置との距離が判定距離より小さく、修復条件を満たしていないときには、ＣＰＵ１６が動作し、部品取出口４５を介して吸着ノズルによる電子部品が吸着、取出し動作が行われる（ステップＳ８）。また、モニタ２０、２０１に例えば「ピッチ送り正常」と表示される。
【００５１】
また、最小のピッチでのテープ送りが行われた後、ＣＰＵ１６はテープ送りが終了し完了するのを待ち（ステップＳ７）、テープ送りが完了すると、ＣＰＵ１６は前回ポケット４７を撮像した基板認識カメラ１４へ撮像信号を出力し、再びポケット認識（２回目のポケット認識）が実行される（ステップＳ３）。即ち、上述したように、基板認識カメラ１４は部品取出口を介してテープのポケットを撮像し、図５の（ｂ）に示したような部品取出口４５、テープ４６及びポケット４７の画像が認識処理装置２７に取り込まれ、画像処理される。画像処理結果はＣＰＵ１６に送られ、ＣＰＵ１６は認識結果の判定を行う（ステップＳ４）。この認識結果の判定において、図５の（ｂ）に示したように、ポケット４７の位置と吸着位置とが一致、或いは、ポケット４７の位置と吸着位置とのずれが、予め設定されＲＡＭに格納されている判定ずれ値より小さいときには、ＣＰＵ１６はピッチ送りの修復条件を満たしていないと判断する（ステップＳ５）。即ち、修復する必要が無いと判定する。このように、上述した最小ピッチ送りにより、自動的にピッチ送りの修復を行うことができる。
【００５２】
この結果、その後、ＣＰＵ１６が動作し、部品取出口４５を介して吸着ノズルによる電子部品の吸着、取出し動作が行われる（ステップＳ８）。このとき、上述したように、ピッチ送りのポケット４７から電子部品を確実に取り出すことができる。また、電子部品の取出し動作と共に、モニタ２０、２０１に例えば「ピッチ送り修復終了」と表示することにより、作業者は、ピッチ送りの修復が正常に行われたことを確認することができる。
【００５３】
なお、２回目のポケットの認識が行われたときに、ＣＰＵ１６がピッチ送りの修復条件を満たしていると判断すると（ステップＳ５）、電子部品実装装置１の電子部品装着運転を停止する。また、モニタ２０、２０１に例えばピッチ送りに異常が発生して異常停止したこと、及びピッチ送り異常が発生した部品供給ユニットが搭載されている部品供給装置でのレーン番号を表示する。また、撮像されたポケットと吸着ノズルのグラフィックをモニタ２０、２０１に表示させ、吸着ノズルをポケットに対して移動させて吸着位置を目合わせする吸着位置目合わせ画面で、テープ送りスイッチを操作して行う最小ピッチ送りが必要であることを表示する。
【００５４】
また、吸着対象部品供給ユニット１３で、テープの部品残数が減少、或いは無くなり、古いテープに新しいテープを連結したとき、古いテープと新しいテープとの継ぎ目を検出センサ等で検出したときには新しいテープのポケットを上述したようにポケット認識し、認識結果に基づいて最小ピッチ送り動作を行うことにより、古いテープと新しいテープとの接続時に例えばピッチが最小ピッチ分ずれて連結された場合も、ピッチ送りが自動修復される。
【００５５】
そして、撮像されたポケットの画像が認識処理装置２７に取り込まれ、画像処理される。画像処理結果はＣＰＵ１６に送られ、ＣＰＵ１６はポケット内に電子部品が有るか否かを判断する。そして、電子部品が無いときには、再びステップ２は戻り、上述した吸着対象部品供給ユニット１３で、テープが１ピッチ送られる。なお、認識カメラ１４が撮像した画像に基づいて、認識処理装置２７により電子部品がポケット内に有るか否かを認識し、この結果をＣＰＵ１６に送るようにしてもよい。
【００５６】
以後、同様にステップ５の電子部品の有無判断により電子部品が有ると判断されるまで、ステップ２からステップ５までのテープの１ピッチ送り、ポケットの撮像、画像認識、ポケットでの電子部品の有無判断が繰り返される。
【００５７】
そして、電子部品を収納したポケットが部品取出口４５に到達し、基板認識カメラ１４が部品取出口を介してテープのポケットを撮像する。そして、図６に示したような部品取出口４５、テープ４６、ポケット４７及び電子部品４８の画像が認識処理装置２７に取り込まれ、画像処理される。画像処理結果はＣＰＵ１６に送られ、ＣＰＵ１６はポケット内に電子部品が有るか否かを判断する。そして、ＣＰＵ１６は電子部品がポケットに有ると判断すると、電子部品の頭出し処理が終了してＣＰＵ１６は、頭出しが終了した電子部品を吸着する動作を開始するための信号を出力し、上述したように装着ヘッド１０によりその電子部品が取出される。また、自動頭出しが終了した部品供給ユニット１３については、頭出しが完了したことを示すフラグをＲＡＭ１７に設けて、その部品供給ユニット１３についての以後の自動頭出しの要否の判定に用いてもよい。更に、自動頭出しが終了した部品供給ユニット１３については、部品供給装置で交換されなく、その後、生産機種の変更があったとき、生産に使用されなく、生産機種の切替に伴い、再び使用される場合にも、その部品供給ユニット１３については自動頭出し動作を行わないようにＣＰＵ１６により継続管理する。
【００５８】
このように、吸着対象部品供給ユニット１３が、それまでセットされていなく、交換されて新たに取り付けられた部品供給ユニット１３のときには、ＣＰＵ１６は自動頭出処理が必要だと判断し、上述したように基板認識カメラ１４によるポケットの撮像結果に基づいて電子部品を収納したポケットが部品取出口に到達するまでテープが１ピッチずつ送られ、自動的に電子部品の頭出し動作が行われるので、吸着対象部品供給ユニット１３を交換したとき、作業者は頭出し作業を行う必要が無くなり、この結果、準備作業を簡略化することができ、作業時間を短縮することができる。また、作業者による頭出し作業が不十分であったときに発生する電子部品の取り出し異常を確実に回避することもできる。
【００５９】
更に、準備作業に要する時間を短縮でき、電子部品装着装置１の非稼働時間を低減して稼働時間を増加させることも可能になる。
【００６０】
また、部品供給装置３又は５のフィーダベース１２の空きレーンに新たに部品供給装置３を搭載した場合においても、部品供給ユニット１３から電子部品を始めて取り出す際、或いは、電子部品装着装置１での１つの基板機種の生産が終了して次の機種の基板を生産するときに、部品供給ユニット１３を搭載した部品供給装置３又は５交換した場合においても、各部品供給ユニット１３から電子部品を取り出す際に、上記部品供給ユニット１３の交換時と同様に、ポケットを認識し、自動的にピッチ送りの修復することにより同様の作用効果を得ることができる。
【００６１】
以下、本願の第２の実施形態について、上述した第１の実施形態と異なる点を中心に図７に示したフローチャートに基づいて説明する。
【００６２】
第１の実施形態では、ポケット認識が可能なテープ４６により部品を供給する場合について説明したが、第２の実施形態は、ポケット認識が不可能なテープを用いて部品供給ユニット１３により部品を供給する実施例である。
【００６３】
まず、基板への電子部品の装着運転が行われているときのテープのピッチ送りの修復について説明する。吸着ノズルが電子部品を取り出した後、装着ヘッド１０、１１は部品認識カメラ１５上方を通過し、この移動中に両装着ヘッド１０、１１の４本の吸着ノズル１０１、１１１に吸着保持されたそれぞれ４個の電子部品を一括して撮像して、この撮像された画像を認識処理装置２７が認識処理し（ステップＳ１１）し、各吸着ノズル１０１、１１１に吸着保持された電子部品の位置を計算（部品認識結果計算）する（ステップＳ１２）。
【００６４】
以下、吸着ノズル１０１、１１１に吸着保持されたそれぞれの電子部品のうち、代表して１つの吸着ノズルに保持された電子部品について、説明する。ＣＰＵ１６は、認識処理装置２７から部品認識結果を取り込み、部品認識結果に基づいてその電子部品について、ピッチずれ補正量を計算する（ステップＳ１３）。即ち、部品認識結果である吸着ノズルに対する電子部品の位置ずれのうち、部品供給ユニット１３でのテープ送り方向、例えば、図５でのＹ方向のずれ量をピッチずれ補正量として計算する。
【００６５】
ＣＰＵ１６は計算したピッチずれ補正量が正常か否かを判断する（ステップＳ１４）。即ち、予め設定されたピッチずれ判定値（例えば最小のピッチの２ｍｍに対応して  １．５ｍｍ）がＲＡＭ１７に格納されており、ＣＰＵ１６は、計算結果のピッチずれ補正量がピッチずれ判定値より大きいか否か（正常の範囲外か範囲内か）を判断する。そして、ピッチずれ補正量がピッチずれ判定値以上の場合（即ち、正常の範囲外と判断される場合には）には、ＣＰＵ１６は、ピッチ送りの１回目の自動修復を設定して（ステップＳ１５）設定した旨のフラッグをＲＡＭ１７に格納する。またその後、部品供給ユニット１３での次の部品取出しのためテープ送りが開始され（ステップＳ１７）、テープ送りの完了を待つ（ステップＳ１８）。
【００６６】
また、モニタ２０、２０１に、テープ送りが自動修復されること、或いは、テープの最小ピッチ送りが設定されてテープ送りが自動修復すること等を表示してもよく、このように表示することにより、作業者は、テープ送りの修復作業を自ら行わなくても、電子部品装着装置１で、自動的にテープ送りの修復が行われることを知ることができる。
【００６７】
そして、テープ送りが完了すると、次に、ＣＰＵ１６は、自動修復設定がされているか否かを判断する（ステップＳ１９）。そして、自動修復が設定されているので、直ちにＣＰＵ１６は上述したポケット認識時と同様に、部品認識した電子部品を供給した部品供給ユニット３に最小ピッチ送りの信号を出力し、その部品供給ユニット１３は予め設定されてＲＡＭ１７に格納されている部品供給ユニット３に対応した最小ピッチの距離（例えば２ｍｍ）だけテープを送り（ステップＳ２０）、テープのピッチ送りの修復が行われる。その後、ＣＰＵ１６は、部品供給ユニット１３での最小ピッチ送りの完了を待ち（ステップ２１）、完了すると、電子部品の吸着動作を待つ（ステップＳ２２）。
【００６８】
なお、ステップＳ１４でピッチずれ補正量がピッチずれ判定値未満の場合（ピッチずれ補正量が正常の範囲内と判断される場合）ＣＰＵ１６は、ＲＡＭ１７に既に自動修復設定が格納されていたときにはその自動修復設定を初期化し（ステップＳ１６）、その後部品供給ユニット１３での次の部品取出しのためのテープ送りが開始され（ステップＳ１７）、テープ送りの完了を待つ（ステップＳ１８）。
【００６９】
また、ステップＳ１９の自動修復設定がされているか否かの判断において自動修復が設定されていないと判断されたときには、最小ピッチ送りをすることなく電子部品の吸着動作を待つ（ステップＳ２２）。
【００７０】
このように、ポケット認識が不可能なテープを用いて部品供給ユニット１３により部品を供給するときに、部品装着動作の途中（吸着ノズルの移動の途中）に部品認識を行った結果に基づいて、電子部品の位置ずれのうち、部品供給ユニット１３でのテープ送り方向のずれをピッチずれ補正量として計算する。そして、ピッチずれ補正量がピッチずれ判定値以上であり、正常の範囲外であるときには、ＣＰＵ１６は、部品供給ユニット１３に最小ピッチ送りの信号を出力し、信号を入力した部品供給ユニット１３は上述したように次の部品取出し動作の前に電子部品の位置ずれの原因になる最小ピッチのずれに対応して最小ピッチの距離だけテープを送るので、部品供給ユニット３での部品供給位置が最小ピッチのずれ分修正され、次に吸着ノズルが電子部品を取り出すとき、或いは、その後、テープがピッチ送りされるときには、吸着ノズルによる電子部品の吸着ミスを回避することができ、一層確実に部品を取り出すことができる。
尚このとき、部品の認識時のずれ量が最小ピッチの整数倍程度ある場合、最小ピッチでなくとも最小ピッチの整数倍のピッチ（通常の送りピッチよりは小さい）を一回で送りピッチずれの補正を行ってもよい。
【００７１】
その後、最小ピッチ送りが完了した部品供給ユニット１３から電子部品が取り出され、吸着保持されたそれぞれ電子部品が撮像され、画像を認識処理装置２７が認識処理する。そして、ＣＰＵ１６が、部品認識結果に基づいてその電子部品について、再びピッチずれ補正量を計算し（ステップＳ１３）、ピッチずれ補正量が正常か否かを判断する（ステップＳ１４）。
【００７２】
ピッチずれ補正量がピッチずれ判定値以上であり、正常の範囲外のときには、ＣＰＵ１６は、正常の範囲外の判断が連続し、２回目であるので、ピッチ送りが異常と判断し、電子部品実装装置１の電子部品装着運転を停止する。また、モニタ２０、２０１に例えばピッチ送りに異常が発生して異常停止したこと、ピッチ送り異常が発生した部品供給ユニットが搭載されている部品供給装置でのレーン番号を表示する。また、撮像されたポケットと吸着ノズルのグラフィックをモニタ２０、２０１に表示させ、吸着ノズルをポケットに対して移動させて吸着位置を目合わせする吸着位置目合わせ画面で、テープ送りスイッチを操作して行う最小ピッチ送りが必要であることを表示する。
【００７３】
このように表示することにより、作業者は、異常停止の原因が部品供給ユニットのテープ送りの異常にあるかも知れない点を知ることができ、また、部品供給ユニット１３のスイッチ部（テープ送り動作ボタン）を操作し、最小ピッチ送りを行い修復作業が必要なことを知ることができる。
【００７４】
なお、ピッチずれ補正量が正常の範囲内のときには、ＣＰＵ１６は、ＲＡＭ１７に格納されていた１回目の自動修復設定を初期化し、フラッグを消去する（ステップＳ１６）。そして、部品供給ユニット１３での部品取出し後のテープ送りが開始され（ステップＳ１７）、テープ送りの完了後、自動修復設定は無いため、次の電子部品の吸着動作を待つ（ステップＳ２２）。
【００７５】
以後、例えば、モニタ２０、２０１に設けられたタッチパネルスイッチ２１、２１１の図示しない設定スイッチにより、ポケット認識の結果に基づいて、テープのピッチ送りの修復を実行することが設定されている場合には、上述したように、ポケット認識結果に基づいて、テープのピッチ送りの修復が行われる。
【００７６】
なお、ポケット認識が不可能なテープを用いて部品供給ユニット１３により部品を供給するときに、上述したように、部品認識の結果に基づいて、テープのピッチ送りの修復を実行するか実行しないかは、例えば、モニタ２０、２０１に設けられたタッチパネルスイッチ２１、２１１の図示しない設定スイッチを操作することにより設定することができる。
【００７７】
以上のように本発明の実施態様について説明したが、上述の説明に基づいて当業者にとって種々の代替例、修正又は変形が可能であり、本発明はその趣旨を逸脱しない範囲で前述の種々の代替例、修正又は変形を包含するものである。
【符号の説明】
【００７８】
１            電子部品装着装置
２            搬送装置
３            部品供給装置
５            部品供給装置
７、８        ビーム
１０、１１    装着ヘッド
１３          部品供給ユニット
１６          ＣＰＵ（制御装置）
１７          ＲＡＭ（記憶装置）
２０          モニタ
４７          ポケット
【図１】
2011155051.tif 000003
【図２】
2011155051.tif 000004
【図３】
2011155051.tif 000005
【図４】
2011155051.tif 000006
【図５】
2011155051.tif 000007
【図６】
2011155051.tif 000008
【図７】
2011155051.tif 000009